(57)【要約】【課題】                  従来の装置は、傾斜した処理槽を常時回転させながらかき混ぜて処理するから、夜間に投入しておいた生ごみが朝までに処理できていればよい等の時間的な処理能力や騒音に対応した生ごみの量と回転速度等の複雑な運転制御や、生ごみの量や装置本体を載置する場所に応じて、容器の傾斜角度を適宜設定することができない等の課題があった。【解決手段】          上端に開閉可能な蓋部２１を有すると共に下端に液体を排出可能な排出部２２を有する容器２と、該容器２を回転可能に保持する保持体３と、該保持体３を揺動可能に軸支する支持体４と、前記容器２の傾斜状態を維持するストッパー手段５とからなる生ごみ処理装置。【選択図】              図１
2006175310.tif 000002
【特許請求の範囲】
【請求項１】
上端に開閉可能な蓋部を有すると共に下端に液体を排出可能な排出部を有する容器と、該容器を回転可能に保持する保持体と、該保持体を揺動可能に軸支する支持体と、前記容器の傾斜状態を維持するストッパー手段とからなる生ごみ処理装置。
【請求項２】
請求項１に記載の生ごみ処理装置において、前記ストッパー手段が、前記保持体に設けた掛止棒と、該掛止棒を係止する前記支持体に設けた掛止部とからなる生ごみ処理装置。
【請求項３】
請求項１又は２に記載の生ごみ処理装置において、前記容器をセラミックスで構成してなる生ごみ処理装置。
【請求項４】
請求項１乃至３のいずれかに記載の生ごみ処理装置において、前記容器の内壁にトルマリン鉱石又は石英片岩等の天然石材から構成される処理促進内壁部を備えた生ごみ処理装置。
【請求項５】
請求項２乃至４のいずれかに記載の生ごみ処理装置において、前記掛止棒を前記掛止部に係止した際に、前記容器を３０〜６０度の傾斜角度状態で維持するように構成した生ごみ処理装置。
【請求項６】
請求項２乃至５のいずれかに記載の生ごみ処理装置において、前記掛止棒を前記掛止部に掛止する際に、前記容器を１０〜１５度の傾斜状態で維持するように構成した生ごみ処理装置。
【発明の詳細な説明】
【技術分野】
【０００１】
本発明は、生ごみ処理装置に関するものである。
【背景技術】
【０００２】
従来、外箱内に処理媒質を収納した可燃性の処理槽をほぼ４５度傾斜した状態で保持し、この処理槽内に生ごみを投入して箱蓋に設けた吸気ファンとヒーターにより加熱空気を処理槽内に吹き付けながら回転させ、前記処理槽と処理媒質及び厨芥を乾燥させてから、箱蓋を開放して処理槽を取り出し、そのまま内部の処理媒質及び厨芥と共に焼却処分する生ごみ処理装置は知られている（特許文献１）。
また、水平に対してほぼ１０度傾斜した回転軸を中心に回転する処理槽に生ごみと共に重量魂媒体を投入して回転させ、粉砕処理された軽いものから順に上から分離して排出可能に生ごみを処理し、排出するときに処理槽を４５度傾斜させることが可能な生ごみ処理装置も知られている（特許文献２）。
【０００３】
【特許文献１】特開平７−３１３９５３号公報
【特許文献２】特開２００３−２３３１６７号公報
【発明の開示】
【発明が解決しようとする課題】
【０００４】
しかし、上記従来の装置は、傾斜した状態で処理槽を常時回転させながらかき混ぜて処理するから、処理媒質と生ごみと空気との混合状態は十分に得られ、処理時間の短縮も可能であるが、生ごみの量と回転速度等の複雑な運転制御装置や、夜間の騒音防止や生ごみの取り出しに複雑な構造が必要になると共に、例えば、夜間に投入しておいた生ごみが朝までに処理できていればよい等の時間的な処理能力に対応し難い一方、容器に投入する生ごみの量や装置本体を載置する場所の傾斜状態に応じて、容器の傾斜角度を適宜設定することができない等の課題があった。
【課題を解決するための手段】
【０００５】
そこで、本発明は、上記課題を解決すべく、請求項１に記載のように、上端に開閉可能な蓋部を有すると共に下端に液体を排出可能な排出部を有する容器と、該容器を回転可能に保持する保持体と、該保持体を揺動可能に軸支する支持体と、前記容器の傾斜状態を維持するストッパー手段とからなる生ごみ処理装置を提供するものである。
【０００６】
また、本発明は、請求項２に記載のように、請求項１に記載の生ごみ処理装置において、前記ストッパー手段が、前記保持体に設けた掛止棒と、該掛止棒を係止する前記支持体に設けた掛止部とからなる生ごみ処理装置を提供するものである。
【０００７】
また、本発明は、請求項３に記載のように、請求項１又は２に記載の生ごみ処理装置において、前記容器をセラミックスで構成してなる生ごみ処理装置を提供するものである。
【０００８】
また、本発明は、請求項４に記載のように、請求項１乃至３のいずれかに記載の生ごみ処理装置において、前記容器の内壁にトルマリン鉱石又は石英片岩等の天然石材から構成される内壁部を備えた生ごみ処理装置を提供するものである。
【０００９】
また、本発明は、請求項５に記載のように、請求項２乃至４のいずれかに記載の生ごみ処理装置において、前記掛止棒を前記掛止部に掛止した際に、前記容器を３０〜６０度の傾斜状態で維持するように構成した生ごみ処理装置を提供するものである。
【００１０】
また、本発明は、請求項６に記載のように、請求項２乃至５のいずれかに記載の生ごみ処理装置において、前記掛止棒を前記掛止部に掛止する際に、前記容器を１０〜１５度の傾斜状態で維持するように構成した生ごみ処理装置を提供するものである。
【発明の効果】
【００１１】
本発明に係る生ごみ処理装置は、請求項１に記載のように、上端に開閉可能な蓋部を有すると共に下端に液体を排出可能な排出部を有する容器と、該容器を回転可能に保持する保持体と、該保持体を揺動可能に軸支する支持体と、前記容器の傾斜状態を維持するストッパー手段とからなる構成を有することにより、例えば、容器を４５度等の適宜な角度に傾斜させてストッパー手段で容器の角度を固定して、容器に生ごみと処理媒質を投入し、容器を１０〜２０回程度手動により回転させて攪拌し終わったら、容器の角度を１５度程度に戻してストッパー手段で角度を固定し、そのまま回転することなく朝まで放置すれば、生ごみは混合した処理媒質により迅速確実に分解処理され、水分は容器下端部の排水部から排水されて処理されることとなると共に、投入する内容物の質や量、又は、装置本体を載置する場所の傾斜状態に応じて、容器の傾斜角度を適宜設定することができる効果がある。
【００１２】
本発明は、請求項２に記載のように、請求項１に記載の生ごみ処理装置において、前記ストッパー手段が、前記保持体に設けた掛止棒と、該掛止棒を掛止する前記支持体に設けた掛止部とからなる構成を有することにより、掛止棒の掛止部への着脱により容器を適宜な掛止位置で傾斜した状態に維持することができ、掛止部の位置を位置決め自在に可変に設けることによって任意の角度に容器を傾斜することができる効果がある。
【００１３】
本発明は、請求項３に記載のように、請求項１又は２に記載の生ごみ処理装置において、前記容器をセラミックスで構成したことにより、遠赤外線放射作用、マイナスイオン発生作用による防かび作用、抗雑菌作用と脱臭作用を上げることができる効果がある。
【００１４】
本発明は、請求項４に記載のように、請求項１乃至３のいずれかに記載の生ごみ処理装置において、前記容器にトルマリン鉱石又は石英片岩等の天然石材から構成される処理促進内壁部を備えた構成を有することにより、トルマリン鉱石又は石英片岩等の天然石材の遠赤外線放射作用、マイナスイオン発生作用による防かび作用及び抗雑菌作用と脱臭作用により、培養バクテリアからなる生ごみ処理媒質の環境を整え、生ごみの分解処理が迅速確実に進行すると共に、生ごみ特有の悪臭が発生しない効果がある。
【００１５】
本発明は、請求項５に記載のように、請求項２乃至４のいずれかに記載の生ごみ処理装置において、前記掛止棒を前記掛止部に掛止した際に、前記容器を３０〜６０度の傾斜状態で維持するように構成したことにより、容器回転時に生ごみと培養バクテリア等からなる処理媒質が確実に攪拌され、容器底部に未攪拌が生じない効果がある。
【００１６】
本発明は、請求項６に記載のように、請求項２乃至５のいずれかに記載の生ごみ処理装置において、前記掛止棒を前記掛止部に係止する際に、前記容器を１０〜１５度の傾斜状態で維持するように構成したことにより、攪拌後にこの角度で放置した際に、生ごみの分解処理により生じた水分の底部排出部からの排出が迅速確実に進行し、迅速確実な生ごみの分解処理ができる効果がある。
【発明を実施するための最良の形態】
【００１７】
以下図示する実施例により、本発明に係る生ごみ処理装置を説明する。
図に示す実施例の場合、装置本体１は、上端に生ごみ等を投入する開閉可能な蓋部２１を有すると共に下端に生ごみ分解処理後の液体を排出可能な排出部２２を有する容器２と、該容器２を回転可能に保持する保持体３と、該保持体３を揺動可能に軸支する支持体４と、容器２の傾斜状態を維持するストッパー手段５とからなる。
【００１８】
容器２の蓋部２１はヒンジ２３によって開閉自在に設けてあり、蓋体の上部には蓋体開閉用と容器回転用の両機能を兼備した把持部２４が設けてある。したがって、把持部２４はヒンジ２３の反対側の蓋体２１に抜けないように固定してあると共に、把持部２４の支軸を中心に回転可能に設けてある。
【００１９】
また、容器２の胴部中央には円周状に軸受リング体２５が設けてあり、容器２を保持する保持体３に設けた容器保持リング体３１と前記軸受リング体２５との間に、両者を回転自在に連結する軸受体３２が一体に設けてある。容器保持リング体３１の外側には、図２に記載のように、左右方向にほぼ水平に傾斜揺動軸３３が一体に突設してあり、支持体４の支持軸受４１に揺動自在に支持されている。
【００２０】
また、容器２の底部２６は紡錘状に底狭に傾斜して成形してあり、その下端部中央にパイプ状の排水部２２が設けてある。底部２６と排水部２２との段部には下部軸受リング体２７が設けてあり、この下部軸受リング体２７と容器２を保持する保持体３に設けた下部保持リング体３４との間に両者を回転自在に連結する下部支持軸受体３５が設けてある。実施例の場合、下部支持軸受体３５は下部保持リング体３４から一体に上方に筒状に立ち上げて設けたカバー枠部３７に覆われており、その内側上部に下部軸受リング体２７が回転自在に嵌合するように設けてある。
【００２１】
前記下部保持リング体３４は、保持体３の傾斜用動軸３３の両側の基部から下方に向かって、図２に示すように、正面から見てほぼＵ字状をなす二股の保持腕部３６に一体に支持されている。
また、支持体４は二本の横Ｌ字状の支持棒４０の組み合わせからなり、一本の支持棒では、平行する長片部４２が接地し短辺部４３に前記支持軸受４１が設けてあり、連結片部４４は支持軸受４１が長片部４２の中央上方に来るように傾斜して設けてある。実施例の場合、二本の支持棒４０は長片部４２において、所定間隔に設けた二本の連結棒４５で一体に組み立ててある。
【００２２】
また、容器２の正面に位置して、容器２を軸受体３２，３５を介して回転自在に保持する容器保持リング体３１と下部保持リング体３４とには、容器２を支軸３３を中心に傾斜操作させるための操作ハンドル５１が設けてある。操作ハンドル５１はＪ字状をなし、長片部の中央を固定板５２で容器保持リング体３１に一体に固定してあり、下端部５３を前記下部保持リング３４と一体なカバー枠部３７に一体に固定してある。また、操作ハンドル５１の上端部には水平方向に取手５４が設けてある。
【００２３】
操作ハンドル５１の長片部には平行して上下動自在に掛止棒５５が設けてあり、図４に記載のように、容器２を傾斜させた状態で掛止棒５５の先端部５６を掛止部を兼ねた前記支持体４の連結棒４５に掛止して容器２を適宜な角度に傾斜しておくことができる。
図４の実線で記載の場合、容器２はほぼ１３度傾斜した状態に掛止され、破線で記載の場合、容器２はほぼ４５度傾斜した状態に掛止されることとなる。また、連結棒４５を兼ねた掛止部は、実施例の２個所に限らず、適宜な個所に設けることもできると共に、３個所以上に設けることも、位置決め自在に設けることも可能である。
【００２４】
掛止棒５５は、図２に記載のように、操作ハンドル５１のガイド枠部５７に上下動自在に設けてあると共に、その頂部の操作取手部５８は操作ハンドル５１の取手５４の下側に設けたストッパ保持片部５９に着脱自在に設けてあり、図２のようにストッパ保持片部５９に掛止棒５１が係合した状態ではその先端部５６は連結棒４５から自由になり、容器２の姿勢を自重による垂直姿勢を含めて自由に傾斜可能であり、ストッパ保持片部５９から掛止棒５１が離脱した状態ではその先端部５６は連結棒４５に係合し、図４に記載のように、容器２を自重に抗して傾斜した状態に維持することができる。
【００２５】
なお、本願発明のストッパー手段５は、実施例の場合、掛止棒５１と掛止部を兼用する連結棒４５からなるが、容器２を回転可能に保持する保持体３と、該保持体３を揺動可能に軸支する支持体４との間において、容器の適宜な傾斜状態で着脱可能に掛止する種々のストッパー手段５を設けることが可能である。
また、容器２の内壁には、図２、図３及び図４に記載のように、トルマリン片岩又は石英片岩から構成される処理促進内壁部６０を設けることができ、バクテリアの活性を高めて、生ごみの分解処理が迅速確実に進行させ、生ごみ特有の悪臭を発生しないようにすることができる。
【００２６】
また、容器全体をトルマリン鉱石又は石英片岩等の天然石材等の粉末又は砕片をほぼ均等に含有するセラミックスで構成することも可能であるが、図２に記載のように、生ごみ収容部の内壁部に重点的にトルマリン鉱石又は石英片岩等の天然石材等からなる処理促進内壁部６０を設けることも可能である。また、この内壁部を全周に渡って設けることなく、図３に記載のように、所定間隔に設けることも可能である。この場合、処理促進内壁部６０を他の部分より内側に突出して設けることによって、生ごみとの接触を密にし、且つ、攪拌効果を上げることが可能である。
【００２７】
上記の実施例の構成において、図４の破線で記載のように、容器を傾斜させてストッパー手段の掛止棒５５の下端部を連結棒４５に掛止させて容器の角度をほぼ４５度の角度に固定して、容器に生ごみと処理媒質を投入し、容器を１０回程度手動により回転させて攪拌し終わったら、図４の破線で記載のように、容器の角度をほぼ１３度に戻してストッパー手段で角度を固定し、そのまま回転することなく５〜１０時間程度放置すれば、生ごみは混合した処理媒質により迅速確実に分解処理され、水分は容器下端部の排出部から排水されて処理されることとなる。なお、ストッパー手段の掛止部である連結棒４５の個数を増やし、間隔を密にしたり、位置決め可変に構成することにより、投入する内容物の質や量、又は、容器を載置する場所の傾斜状態に応じて、容器の傾斜角度を適宜に設定することができる。
【図面の簡単な説明】
【００２８】
【図１】本発明に係る生ごみ処理装置の実施例を示す概略正面図。
【図２】その実施例の概略背面図。
【図３】その実施例の概略平面図。
【図４】その実施例の概略底面図。
【符号の説明】
【００２９】
１    装置本体
２    容器
３    保持体
４    支持体
５    ストッパー手段
２１  蓋部
２２  排出部
２３  ヒンジ
２４  把持部
２５  軸受リング体
２６  底部  
２７  下部軸受リング体
３１  容器保持リング体
３２  軸受体
３３  傾斜用動軸
３４  下部保持リング体
３５  下部支持軸受体
３６  保持腕部
３７  カバー枠部
４０  支持棒
４１  支持軸受
４２  長片部
４３  短辺部
４４  連結片部
４５  連結棒
５１  操作ハンドル
５２  固定板
５３  下端部
５４  取手
５５  掛止棒
５６  先端部
５７  ガイド枠部
５８  操作取手部
５９  ストッパ保持片部
６０  処理促進内壁部
【図１】
2006175310.tif 000003
【図２】
2006175310.tif 000004
【図３】
2006175310.tif 000005
【図４】
2006175310.tif 000006